(57)【要約】      （修正有）【課題】リン酸カルシウムの微粉粒物を担持せしめたマスクを提供する。【解決手段】天然繊維あるいは化学繊維の単繊維を撚り合わせて成る撚糸を、縦糸１ａおよび／または横糸１ｂとして織成した織物のマスクであって、微粉末状あるいは微粒子状のリン酸カルシウムを織物の撚糸の撚溝や織溝に担持せしめて成ることを特徴とする。【選択図】図２
0003218258.tif 000002
【実用新案登録請求の範囲】
【請求項１】
天然繊維あるいは化学繊維の単繊維を撚り合わせて成る撚糸を、縦糸および／または横糸として織成した織物のマスクであって、該織物に微粉末状あるいは微粒子状のリン酸カルシウムを織物の特に撚糸の撚溝や織物の織溝に担持せしめて成ることを特徴とするリン酸カルシウムの微粉粒物を担持せしめたマスク。
【請求項２】
上記天然繊維あるいは化学繊維の単繊維は、綿あるいは麻などの植物製天然繊維、あるいは、アクリル、ポリエステル、ナイロン、ポリウレタンなどの合成樹脂、アセテート、トリアセテート、プロミックスなどの半合成繊維、また、レーヨン、キュプラ、ポリノジックなどの再生化学繊維から１種類あるいは複数種類を組合せたものであることを特徴とするリン酸カルシウムの微粉粒物を担持せしめたマスク。
【請求項３】
上記リン酸カルシウムが、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であることを特徴とするリン酸カルシウムの微粉粒物を担持せしめたマスク。
【請求項４】
微粉粒物の上記リン酸カルシウムの大きさが、０．０１〜２００μmであることを特徴とするリン酸カルシウムの微粉粒物を担持せしめたマスク。
【考案の詳細な説明】
【技術分野】
【０００１】
本考案は、リン酸カルシウムの微粉粒物を担持せしめたマスクに関するものである。
【背景技術】
【０００２】
従来、リン酸カルシウムを担持した不織布製のマスクがあった。（特許文献１、２）
【０００３】
しかしながら、上記従来の不織布製のマスクは、パルプ繊維や合成樹脂繊維をウエブ形成した不織布から成り、それらの繊維の表面にリン酸カルシウムを担持させたものである。
したがって、リン酸カルシウムの担持力は定着材等を使用しても十分なものではなく、マスク使用に際して比較的短時間に多くのリン酸カルシウムが分離・分散してしまい、リン酸カルシウムによる効果が減退してしまう欠点があった。
【先行技術文献】
【特許文献】
【０００４】
【特許文献１】特許第４９３３２７９号
【特許文献２】特開平５−２２２６９３号公報
【考案の概要】
【考案が解決しようとする課題】
【０００５】
本考案は、上記従来の問題点に鑑みてなされたもので、その目的とするところは、マスク本体からリン酸カルシウム粒子が分離し難く、長期に亘ってリン酸カルシウムの効果を享受することができる、リン酸カルシウムの微粉粒物を担持せしめたマスクを提供することにある。
【課題を解決するための手段】
【０００６】
本考案のマスクは、天然繊維あるいは化学繊維の単繊維を撚り合わせて成る撚糸を、縦糸および／または横糸として織成した織物のマスクであって、該織物に微粉体あるいは微粒体状のリン酸カルシウムを織物の特に撚糸の撚溝（単繊維間の溝や窪み）や織物の織溝（縦糸・横糸間の溝や窪み）に担持せしめて成ることを特徴とするリン酸カルシウムを担持したマスクである。
【０００７】
上記天然繊維としては、綿あるいは麻などの植物製天然繊維、あるいは、アクリル、ポリエステル、ナイロン、ポリウレタンなどの合成樹脂、アセテート、トリアセテート、プロミックスなどの半合成繊維、また、レーヨン、キュプラ、ポリノジックなどの再生化学繊維から１種類あるいは複数種類を組合せて、マスクの素材繊維とすることを特徴とする。
【０００８】
上記素材繊維は単繊維であって、これを撚り合わせて撚糸に構成し、この撚糸を縦糸および／または横糸として織物を織成する。
【０００９】
上記リン酸カルシウムが、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であることを特徴とする。
【００１０】
上記リン酸カルシウムの微粉体あるいは微粒体の大きさは、好ましくは０．０１〜２００μmである。
【考案の効果】
【００１１】
本考案のリン酸カルシウムを担持したマスクによれば、マスク本体からリン酸カルシウムが分離し難く、長期に亘ってリン酸カルシウムの効果を享受することができる。
【図面の簡単な説明】
【００１２】
【図１】本考案の一実施例のマスクを示す平面図である。
【図２】図１のマスク本体の部分拡大図である。
【考案を実施するための形態】
【００１３】
図１は、天然繊維あるいは化学繊維の単繊維を撚り合わせて成る撚糸を縦糸および／または横糸とした織物１から成るマスクを示すものであって、該織物１に粉体あるいは粒体状のリン酸カルシウムを担持せしめて成る。２は耳掛紐である。
【００１４】
上記天然繊維としては、綿あるいは麻などの植物製天然繊維、あるいは、アクリル、ポリエステル、ナイロン、ポリウレタンなどの合成樹脂、アセテート、トリアセテート、プロミックスなどの半合成繊維、また、レーヨン、キュプラ、ポリノジックなどの再生化学繊維から１種類あるいは複数種類を組合せて、マスクの素材繊維とする。
【００１５】
上記素材繊維の短繊維を複数撚り合わせた撚糸を、図２に示すように、縦糸１ａと横糸１ｂとして織物（本実施例では、平織物）を織成する。このように、本マスク１は、縦糸１ａと横糸１ｂ自体が単繊維を撚った撚糸として構成されているので、これらの撚糸（縦糸１ａ、横糸１ｂ）を構成する単繊維間には撚溝が形成される。さらに、縦糸１ａと横糸１ｂにより構成される織物の交差部分の両織糸間に織溝が形成される。
【００１６】
上記リン酸カルシウムとしては、微粉末状あるいは微粒子状のリン酸カルシウム、例えば、天然アパタイト（ハイドロキシアパタイトCa5(PO4)3(OH)）が好適であるが、これに限定するものではなく、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であってもよい。また、このリン酸カルシウムに炭酸カルシウムCaCO3を添加してもよい。
【００１７】
上記リン酸カルシウムの一種の天然アパタイトの粒径は、好ましくは、０．０１〜２００μmであり、水に溶けない。これらのリン酸カルシウムの微粒子は、特に上記マスク１の上記撚溝および織溝の溝部分に挟み込ませたり、包み込ませるようにして、担持せしめるので、容易に離脱しない。
【符号の説明】
【００１８】
１    織物
１ａ  縦糸
１ｂ  横糸
２    耳掛紐
【図１】
0003218258.tif 000003
【図２】
0003218258.tif 000004
【手続補正書】
【提出日】平成30年7月30日(2018.7.30)
【手続補正１】
【補正対象書類名】実用新案登録請求の範囲
【補正対象項目名】全文
【補正方法】変更
【補正の内容】
【実用新案登録請求の範囲】
【請求項１】
天然繊維あるいは化学繊維の単繊維を撚り合わせて成る撚糸を、縦糸および／または横糸として織成した織物のマスクであって、該織物に微粉末状あるいは微粒子状のリン酸カルシウムを織物の特に撚糸の撚溝や織物の織溝に担持せしめて成ることを特徴とするリン酸カルシウムの微粉粒物を担持せしめたマスク。
【請求項２】
上記天然繊維あるいは化学繊維の単繊維は、綿あるいは麻などの植物製天然繊維、あるいは、アクリル、ポリエステル、ナイロン、ポリウレタンなどの合成樹脂、アセテート、トリアセテート、プロミックスなどの半合成繊維、また、レーヨン、キュプラ、ポリノジックなどの再生化学繊維から１種類あるいは複数種類を組合せたものであることを特徴とする請求項１記載のリン酸カルシウムの微粉粒物を担持せしめたマスク。
【請求項３】
上記リン酸カルシウムが、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であることを特徴とする請求項１記載のリン酸カルシウムの粉粒物を担持せしめたマスク。
【請求項４】
微粉粒物の上記リン酸カルシウムの大きさが、０．０１〜２００μmであることを特徴とする請求項１記載のリン酸カルシウムの微粉粒物を担持せしめたマスク。